(57)【要約】【課題】  二つの桟部材の交差接合部の浮き上りが防止されて一体的外観を呈する接合部が得られる互いに交差する桟部材の接合構造を提供すること。【解決手段】  互いに交差する二つの桟部材1、2の交差部に、対称形の接合欠切部3、4が形成されるとともに、前記一方の桟部材1の長手方向には、前記接合欠切部3を通して浮き上り防止棒5の挿通穴6が穿設され、前記他方の桟部材2における前記一方の桟部材1との接合交差部の両側面には、前記挿通穴6と適合する挿通穴7が穿設され、前記二つの桟部材1、2の接合欠切部3、4が互いに交差状にかみ合わされて接合され、かつ前記一方の桟部材1の挿通穴6から前記浮き上り防止棒5が前記挿通穴7を通して挿着され、これにより接合桟部材の浮き上りが防止される。【選択図】    図1
2005163353.tif 000002
【特許請求の範囲】
【請求項１】
互いに交差する二つの桟部材（1）、（2）の交差部に、対称形の接合欠切部（3）、（4）が形成されるとともに、前記一方の桟部材（1）の長手方向には、前記接合欠切部（3）を通して浮き上り防止棒（5）の挿通穴（6）が穿設され、前記他方の桟部材（2）における前記一方の桟部材（1）との接合交差部の両側面には、前記挿通穴（6）と適合する挿通穴（7）が穿設され、
前記二つの桟部材（1）、（2）の接合欠切部（3）、（4）が互いに交差状にかみ合わされて接合され、かつ前記一方の桟部材（1）の挿通穴（6）から前記浮き上り防止棒（5）が前記挿通穴（7）を通して挿着され、以って接合桟部材の浮き上りが防止される構成を特徴とする互いに交差する桟部材の接合構造。
【発明の詳細な説明】
【技術分野】
【０００１】
本発明は、互いに交差する桟部材の接合構造に関し、更に詳しくは、例えば格子付窓枠における金属製格子の接合組立において、互いに交差する桟部材の浮き上りが防止されて組み立てられる桟部材の接合構造に関するものである。
【背景技術】
【０００２】
従来から例えば、格子付窓枠における金属製桟の接合組立は、桟部材の互いの交差接合部をビス等による固着具により固着して組み立てているのが一般的である。
【０００３】
しかしながら、この固着具による場合には、締め付け不良による緩みを生じ、又錆び等も生じ、更には固着具が外部に突出しているため概観的体裁が悪い等の問題点があった。
【発明の開示】
【発明が解決しようとする課題】
【０００４】
本発明が解決しようとする問題点は、例えば格子付窓枠における金属製桟の接合組立がビス止め等の外部に突出する固着具により行われている点である。
【０００５】
したがって、本発明の目的は、例えば格子付窓枠における金属製桟による格子状の接合組立が、ビス等の外部に突出する固着具を一切用いることなく、交差接合部が一体的外観を呈し、しかも桟部材の浮き上がりが防止されて接合される互いに交差する桟部材の接合構造を提供することにある。
【課題を解決するための手段】
【０００６】
この目的のため、本発明の請求項1に記載の交差する桟部材の接合構造は、互いに交差する二つの桟部材1、2の交差部に、対称形の接合欠切部3、4が形成されるとともに、前記一方の桟部材1の長手方向には、前記接合欠切部3を通して浮き上り防止棒5の挿通穴6が穿設され、前記他方の桟部材2における前記一方の桟部材1との接合交差部の両側面には、前記挿通穴6と適合する挿通穴7が穿設され、前記二つの桟部材1、2の接合欠切部3、4が互いに交差状にかみ合わされて接合され、かつ前記一方の桟部材1の挿通穴6から前記浮き上り防止棒5が前記挿通穴7を通して挿着され、以って接合桟部材の浮き上りが防止される構成を特徴とするものである。
【発明の効果】
【０００７】
本発明に係る交差する桟部材の接合構造によれば、接合固着具が外部から目視できずに接合部が一体的であって外観体裁が良く、しかも桟部材の浮き上りがない商品価値の高い、例えば格子付窓枠を提供することができる。
【発明を実施するための最良の形態】
【０００８】
以下に図面を参照して、本願に係る発明を実施するための最良の形態についてその作用と共に説明する。
【０００９】
図１は、本発明に係る交差する桟部材の接合構造の一例を示す一部省略の分解斜視図、図2は、桟部材を格子状に接合した状態での一部省略の分解斜視図、図3は、桟部材の交差接合部を示す拡大断面図、図4は、桟部材の他例を示す断面図、図5は、桟部材の他例での接合構造を示す一部省略の分解斜視図、図6は、桟部材の他例での格子状接合状態を示す一部省略の分解斜視図、図7は、本発明を実施した格子付窓枠の正面図、図8は、図7の8−8線に沿った一部省略の拡大断面図、図9は、図7の9−9線に沿った一部省略の拡大断面図である。
【００１０】
図1において、二つの桟部材1,2は、好ましくはアルミニウム等の金属製であって、互いの交差する部分にコ字形の接合欠切部3,4が切欠加工により対称に形成され、実線矢印で示されているように、互いの接合欠切部3,4がかみ合わされることにより十字状に接合される。
【００１１】
このようにして、互いの桟部材1,2は十字状に、或いは図2に示されているように格子状に接合されるが、このままでは桟部材1,2が金属製であるために交差接合部に浮き上りが生ずる。
【００１２】
そこで、この浮き上り防止手段として、一方の桟部材1の長手方向に接合欠切部3を通して浮き上り防止棒5が挿着される挿通穴6が貫通して穿設されるとともに、他方の桟部材2における一方の桟部材1との接合交差部の両側面には、挿通穴6と適合する挿通穴7が穿設され、二つの桟部材1、2の接合欠切部3、4が互いに交差状にかみ合わされた接合状態において、図１及び図2に実線で示されているように、一方の桟部材1の挿通穴6から、好ましくはアルミニウム丸棒から成る浮き上り防止棒5が挿通穴7を通して挿着される。
【００１３】
すると、図3に示されているように、二つの桟部材1,2の接合欠切部3,4による交差接合部は浮き上り防止棒5により一体的に結合されるので、桟部材1の浮き上りは防止され、平面視完全な平坦状態が維持される。
【００１４】
なお、二つの桟部材1,2は、図4に示されているように、挿通穴6が長手方向に設けられていれば、中空体であっても良い。
【００１５】
図4及び図5において、二つの桟部材1、2は接合欠切部3,4と長手方向に上下二つの貫通した挿通穴6と該挿通穴6と適合する挿通穴7を有する同一の桟部材として形成されている。
【００１６】
これは、図6、図7及び図8に示されている格子付窓枠10を製作する場合において、アルミニウム型材の組み合わせより成り、ガラス11が取り付けられる窓枠12にビス止めされる格子体13を形成する場合に、多くの桟部材が用いられる関係上、二つの桟部材1,2を同一の桟部材として形成することにより、接合欠切部3,4のかみ合わせ接合時にいずれの桟部をも用いることができ、かつ浮き上り防止棒5の挿着も一方の桟部材1からも（下側の挿通穴6から）、又は他方の桟部材2からも（上側の挿通穴6から）行うことができるからである。
【００１７】
なお、図示の実施例において、桟部材1,2は四角柱体であるが、これに限定されず、円柱体であっても良い。又、交差は十字状であるが、斜め状であっても良い。
【図面の簡単な説明】
【００１８】
【図１】本発明に係る交差する桟部材の接合構造の一例を示す一部省略の分解斜視図である。
【図２】桟部材を格子状に接合した状態での一部省略の分解斜視図である。
【図３】桟部材の交差接合部を示す拡大断面図である。
【図４】桟部材の他例を示す断面図である。
【図５】桟部材の他例での接合構造を示す一部省略の分解斜視図である。
【図６】桟部材の他例での格子状接合状態を示す一部省略の分解斜視図である。
【図７】本発明を実施した格子付窓枠の正面図である。
【図８】図7の8−8線に沿った一部省略の拡大断面図である。
【図９】図7の9−9線に沿った一部省略の拡大断面図である。
【符号の説明】
【００１９】
1、2    桟部材
3、4    接合欠切部
5    浮き上り防止棒
6、7    挿通穴
【図１】
2005163353.tif 000003
【図２】
2005163353.tif 000004
【図３】
2005163353.tif 000005
【図４】
2005163353.tif 000006
【図５】
2005163353.tif 000007
【図６】
2005163353.tif 000008
【図７】
2005163353.tif 000009
【図８】
2005163353.tif 000010
【図９】
2005163353.tif 000011